(57)【要約】【課題】所定の種類の制御信号を利用する複数の異なる信号処理を個別に実行できるようにする。【解決手段】  主信号伝播部２６３は、信号入力部２６１に入力された主信号に対して、制御信号を利用するＮ個の信号処理を順次施していくことで、主信号を信号入力部２６１から信号出力部２６５まで伝播する。制御信号生成部２６２は、主信号伝播部２６３の第１信号処理部２６３−１が実行する信号処理に対応する形態で制御信号を生成し、第１信号処理部２６３−１に供給する。また、制御信号伝播部２６４は、主信号伝播部２６３の第２信号処理部２６３−２乃至第Ｎ信号処理部２６３−Ｎによりそれぞれ処理が順次実行される場合、制御信号生成部２６２により生成された制御信号を、主信号伝播部２６３の実行対象の信号処理に対応する形態に順次変換して、主信号伝播部２６３に順次供給していく。本発明は、テレビジョンシステムに適用可能である。【選択図】図６
2006042300.tif 000002
【特許請求の範囲】
【請求項１】
所定の信号を入力する入力手段と、
前記所定の信号を出力する出力手段と、
前記入力手段と前記出力手段の間に設けられ、前記入力手段に入力された前記所定の信号に対して、制御信号を利用する２以上の信号処理を順次施していくことで、前記所定の信号を前記入力手段から前記出力手段まで伝播する信号伝播手段と、
前記信号伝播手段により順次実行される２以上の前記信号処理のうちの１番目の信号処理に対応する形態で前記制御信号を生成し、前記信号伝播手段により１番目の前記信号処理が実行される場合、生成された前記制御信号を前記信号伝播手段に供給する制御信号生成手段と、
前記信号伝播手段により２以上の前記信号処理のうちの２番目以降の信号処理のそれぞれが順次実行される場合、前記制御信号生成手段により生成された前記制御信号を、前記信号伝播手段の実行対象とされている信号処理に対応する形態に順次変換して、前記信号伝播手段に順次供給していくことで、前記信号伝播手段により伝播されている前記所定の信号と並行して前記制御信号を伝播していく制御信号伝播手段と
を備えることを特徴とする信号処理装置。
【請求項２】
前記信号伝播手段と前記制御信号伝播手段の前段に設けられ、前記入力手段に入力された前記所定の信号に対して、前記制御信号生成手段により生成された前記制御信号を重畳する制御信号重畳手段をさらに備え、
前記信号伝播手段と前記制御信号伝播手段とは同一の伝播手段であり、同一の前記伝播手段は、前記制御信号重畳手段により前記制御信号が重畳された前記所定の信号に対して２以上の前記信号処理を順次施していくことで、前記所定の信号と前記制御信号とのそれぞれを前記入力手段から前記出力手段まで伝播する
ことを特徴とする請求項１に記載の信号処理装置。
【請求項３】
前記所定の信号は、複数のアクセスユニットから構成される動画像に対応する画像信号であり、
前記制御信号は、複数の前記アクセスユニットのそれぞれを構成する各画素の移動ベクトルのそれぞれを示す信号であり、
前記信号伝播手段は、２以上の前記信号処理のそれぞれとして、アクセスユニットを単位とし、かつ、処理の対象となるアクセスユニットを構成する各画素の前記移動ベクトルのそれぞれを利用する信号処理を前記画像信号に対して施していくことで、前記画像信号を前記入力手段から前記出力手段まで伝播する
ことを特徴とする請求項１に記載の信号処理装置。
【請求項４】
所定の信号を入力する入力手段と、
前記所定の信号を出力する出力手段と、
前記入力手段と前記出力手段の間に設けられ、前記入力手段に入力された前記所定の信号に対して、制御信号を利用する２以上の信号処理を順次施していくことで、前記所定の信号を前記入力手段から前記出力手段まで伝播する信号伝播手段と
を備える信号処理装置の信号処理方法において、
前記信号伝播手段により順次実行される２以上の前記信号処理のうちの１番目の信号処理に対応する形態で前記制御信号を生成し、前記信号伝播手段により１番目の前記信号処理が実行される場合、生成された前記制御信号を前記信号伝播手段に供給する制御信号生成ステップと、
前記信号伝播手段により２以上の前記信号処理のうちの２番目以降の信号処理のそれぞれが実行される場合、前記制御信号生成ステップの処理により生成された前記制御信号を、前記信号伝播手段の実行対象とされている信号処理に対応する形態に順次変換して、前記信号伝播手段に順次供給していくことで、前記信号伝播手段により伝播されている前記所定の信号と並行して前記制御信号を伝播させる制御を行う制御信号伝播制御ステップと
を含むことを特徴とする信号処理方法。
【請求項５】
所定の信号を入力する入力手段と、
前記所定の信号を出力する出力手段と、
前記入力手段と前記出力手段の間に設けられ、前記入力手段に入力された前記所定の信号に対して、制御信号を利用する２以上の信号処理を順次施していくことで、前記所定の信号を前記入力手段から前記出力手段まで伝播する信号伝播手段と
を備える信号伝播装置を制御するコンピュータに実行させるプログラムであって、
前記信号伝播手段により順次実行される２以上の前記信号処理のうちの１番目の信号処理に対応する形態で前記制御信号を生成し、前記信号伝播手段により１番目の前記信号処理が実行される場合、生成された前記制御信号を前記信号伝播手段に供給する制御信号生成ステップと、
前記信号伝播手段により２以上の前記信号処理のうちの２番目以降の信号処理のそれぞれが実行される場合、前記制御信号生成ステップの処理により生成された前記制御信号を、前記信号伝播手段の実行対象とされている信号処理に対応可する形態に順次変換して、前記信号伝播手段に順次供給していくことで、前記信号伝播手段により伝播されている前記所定の信号と並行して前記制御信号を伝播させる制御を行う制御信号伝播制御ステップと
を含むことを特徴とするプログラム。
【発明の詳細な説明】
【技術分野】
【０００１】
本発明は、信号処理装置および方法並びにプログラムに関し、特に、所定の種類の制御信号を利用する複数の信号処理を個別に実行することができる信号処理装置および方法並びにプログラムに関する。
【背景技術】
【０００２】
近年、テレビジョン放送信号等の動画像信号（対応する音声信号を含む場合もある）をチューナ等で受信して各種信号処理を施し、その結果得られる信号を表示デバイスに出力するまでの一連の処理、即ち、その動画像信号に対応する動画像を表示デバイスに表示させるまでの一連の処理を実行可能な信号処理システムが登場してきている。
【０００３】
なお、ここで言うシステムとは、複数の処理装置や処理部により構成される装置全体を指す。即ち、信号処理システムは、テレビジョン受像機のように１台の画像処理装置（複数の処理部からなる画像処理装置）で構成されることもあるし、テレビジョン受像機と録画再生装置との組合せといった複数台の画像処理装置で構成されることもある。
【０００４】
このように、従来の信号処理システムにおいては、動画像信号は入力部（チューナ等）から出力部まで伝播され、その間、各種信号処理が施されて加工されることになる。
【０００５】
なお、ここで言う入力部とは、例えば上述したチューナ等を指す。また、ここで言う出力部とは、例えば、表示デバイスに信号を出力する出力部、或いは、信号処理システムの構成要素として表示デバイスが含まれる場合には表示デバイスそのものを指す。
【０００６】
また、この場合、従来の信号処理システムが実行する信号処理としては、例えば、インタレース／プログレッシブ変換処理（以下、IP変換処理と称する）、スケーリング処理、各種画像処理等が挙げられる。
【０００７】
ところで、従来の信号処理システムは、このような各種信号処理を動画像信号に対して施す場合、フレームまたはフィールドを単位とすることが多い。このようなフィールドやフレームといった動画像の単位を、以下、アクセスユニットと称する。この場合、信号処理の中には、各アクセスユニットを構成する各画素のそれぞれの移動ベクトルを必要とするものもある（特許文献１参照）。この移動ベクトルは次のような種類の制御信号として与えられる。即ち、処理対象のアクセスユニットを構成する各画素のそれぞれについての、処理対象のアクセスユニットより時間的に前に配置される所定のアクセスユニットの対応画素からの移動方向と移動距離を示す制御信号が、移動ベクトルを示す制御信号である。
【０００８】
さらに、近年、このような移動ベクトルを利用して信号処理を実行する信号処理回路を複数搭載した信号処理システムの実現が要求されている。例えば、移動ベクトルを利用してIP変換処理を実行する回路に加えてさらに、移動ベクトルを利用して各種画像処理を実行する回路も搭載した信号処理システムの実現が要求されている。
【特許文献１】特開平１１−２９８８６１号公報
【発明の開示】
【発明が解決しようとする課題】
【０００９】
しかしながら、特許文献１等の従来の信号処理システムでは、移動ベクトルを利用して異なる信号処理を個別に実行する信号処理回路を複数個搭載することは困難であるという課題があった。
【００１０】
以上、移動ベクトルを示す制御信号を利用する信号処理システムが有する課題について説明したが、他の種類の制御信号を利用する信号処理システムも当然ながら同様の課題を有していることになる。即ち、特許文献１等の従来の信号処理システムでは、所定の種類の制御信号を利用して異なる信号処理を個別に実行する信号処理回路を複数個搭載することは困難であるという課題があった。
【００１１】
本発明は、このような状況に鑑みてなされたものであり、所定の種類の制御信号を利用する複数の信号処理を個別に実行することができるようにするものである。
【課題を解決するための手段】
【００１２】
本発明の信号処理装置は、所定の信号を入力する入力手段と、所定の信号を出力する出力手段と、入力手段と出力手段の間に設けられ、入力手段に入力された所定の信号に対して、制御信号を利用する２以上の信号処理を順次施していくことで、所定の信号を入力手段から出力手段まで伝播する信号伝播手段と、信号伝播手段により順次実行される２以上の信号処理のうちの１番目の信号処理に対応する形態で制御信号を生成し、信号伝播手段により１番目の信号処理が実行される場合、生成された制御信号を信号伝播手段に供給する制御信号生成手段と、信号伝播手段により２以上の信号処理のうちの２番目以降の信号処理のそれぞれが順次実行される場合、制御信号生成手段により生成された制御信号を、信号伝播手段の実行対象とされている信号処理に対応する形態に順次変換して、信号伝播手段に順次供給していくことで、信号伝播手段により伝播されている所定の信号と並行して制御信号を伝播していく制御信号伝播手段とを備えることを特徴とする。
【００１３】
信号伝播手段と制御信号伝播手段の前段に設けられ、入力手段に入力された所定の信号に対して、制御信号生成手段により生成された制御信号を重畳する制御信号重畳手段をさらに設け、信号伝播手段と制御信号伝播手段とは同一の伝播手段であり、同一の伝播手段は、制御信号重畳手段により制御信号が重畳された所定の信号に対して２以上の信号処理を順次施していくことで、所定の信号と制御信号とのそれぞれを入力手段から出力手段まで伝播するようにすることができる。
【００１４】
所定の信号は、複数のアクセスユニットから構成される動画像に対応する画像信号であり、制御信号は、複数のアクセスユニットのそれぞれを構成する各画素の移動ベクトルのそれぞれを示す信号であり、信号伝播手段は、２以上の信号処理のそれぞれとして、アクセスユニットを単位とし、かつ、処理の対象となるアクセスユニットを構成する各画素の移動ベクトルのそれぞれを利用する信号処理を画像信号に対して施していくことで、画像信号を入力手段から出力手段まで伝播するようにすることができる。
【００１５】
本発明の信号処理装置においては、入力された所定の信号は、制御信号を利用する２以上の信号処理が順次施されながら伝播されて出力される。この場合、はじめに、１番目の信号処理に対応する形態で制御信号が生成され、１番目の信号処理が実行される場合、生成された制御信号が利用される。それ以降、信号伝播手段により２以上の信号処理のうちの２番目以降の信号処理のそれぞれが順次実行される時点（若しくはその前後の時点で）、制御信号は、実行対象とされている信号処理に対応する形態に順次変換されて順次利用されていく。このようにして、制御信号も、所定の信号と並行して伝播されていく。
【００１６】
本発明の信号処理装置の信号処理方法は、所定の信号を入力する入力手段と、所定の信号を出力する出力手段と、入力手段と出力手段の間に設けられ、入力手段に入力された所定の信号に対して、制御信号を利用する２以上の信号処理を順次施していくことで、所定の信号を入力手段から出力手段まで伝播する信号伝播手段とを備える信号処理装置の信号処理方法である。詳細には、本発明の信号処理方法は、信号伝播手段により順次実行される２以上の信号処理のうちの１番目の信号処理に対応する形態で制御信号を生成し、信号伝播手段により１番目の信号処理が実行される場合、生成された制御信号を信号伝播手段に供給する制御信号生成ステップと、信号伝播手段により２以上の信号処理のうちの２番目以降の信号処理のそれぞれが実行される場合、制御信号生成ステップの処理により生成された制御信号を、信号伝播手段の実行対象とされている信号処理に対応する形態に順次変換して、信号伝播手段に順次供給していくことで、信号伝播手段により伝播されている所定の信号と並行して制御信号を伝播させる制御を行う制御信号伝播制御ステップとを含むことを特徴とする。
【００１７】
本発明のプログラムは、所定の信号を入力する入力手段と、所定の信号を出力する出力手段と、入力手段と出力手段の間に設けられ、入力手段に入力された所定の信号に対して、制御信号を利用する２以上の信号処理を順次施していくことで、所定の信号を入力手段から出力手段まで伝播する信号伝播手段とを備える信号伝播装置を制御するコンピュータに実行させるプログラムである。詳細には、本発明のプログラムは、信号伝播手段により順次実行される２以上の信号処理のうちの１番目の信号処理に対応する形態で制御信号を生成し、信号伝播手段により１番目の信号処理が実行される場合、生成された制御信号を信号伝播手段に供給する制御信号生成ステップと、信号伝播手段により２以上の信号処理のうちの２番目以降の信号処理のそれぞれが実行される場合、制御信号生成ステップの処理により生成された制御信号を、信号伝播手段の実行対象とされている信号処理に対応する形態に順次変換して、信号伝播手段に順次供給していくことで、信号伝播手段により伝播されている所定の信号と並行して制御信号を伝播させる制御を行う制御信号伝播制御ステップとを含むことを特徴とする。
【００１８】
本発明の信号処理方法およびプログラムにおいては、所定の信号を入力する入力手段と、所定の信号を出力する出力手段と、入力手段と出力手段の間に設けられ、入力手段に入力された所定の信号に対して、制御信号を利用する２以上の信号処理を順次施していくことで、所定の信号を入力手段から出力手段まで伝播する信号伝播手段とを備える信号伝播装置または信号処理装置が制御される。詳細には、信号伝播手段により順次実行される２以上の信号処理のうちの１番目の信号処理に対応する形態で制御信号が生成され、信号伝播手段により１番目の信号処理が実行される場合、生成された制御信号が信号伝播手段に供給される。次に、信号伝播手段により２以上の信号処理のうちの２番目以降の信号処理のそれぞれが実行される場合、生成された制御信号は、信号伝播手段の実行対象とされている信号処理に対応可する形態に順次変換されて、信号伝播手段に順次供給される。これにより、制御信号も、信号伝播手段により伝播されている所定の信号と並行して伝播される。
【発明の効果】
【００１９】
以上のごとく、本発明によれば、各種制御信号を利用する信号処理装置を提供することができる。特に、その信号処理装置の回路規模を縮小することができる。
【発明を実施するための最良の形態】
【００２０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
本発明によれば、信号処理装置が提供される。この信号処理装置（例えば図６の信号処理装置２５１であって、具体的には例えば図２の画像処理装置１０１。または、例えば図７の信号処理装置２７１であって、具体的には例えば図４の画像処理装置２０１）は、所定の信号を入力する入力手段（例えば図６の信号入力部２６１であって、具体的には例えば図２の画像入力部１１１。または、例えば図７の信号入力部２８１であって、具体的には例えば図４の画像入力部２１１）と、前記所定の信号を出力する出力手段（例えば図６の信号出力部２６５であって、具体的には例えば図２の画像出力部１１８。または、例えば図７の信号出力部２８５であって、具体的には例えば図４の画像出力部２１７）と、前記入力手段と前記出力手段の間に設けられ、前記入力手段に入力された前記所定の信号に対して、制御信号を利用する２以上の信号処理を順次施していくことで、前記所定の信号を前記入力手段から前記出力手段まで伝播する信号伝播手段（例えば図６の主信号伝播部２６３であって、具体的には例えば図２のIP変換部１１４，スケーリング部１１６，画像処理部１１７。または、例えば図７の信号伝播部２８４であって、具体的には例えば図４のIP変換部２１４乃至画像処理部２１６）と、前記信号伝播手段により順次実行される２以上の前記信号処理のうちの１番目の信号処理に対応する形態で前記制御信号を生成し、前記信号伝播手段により１番目の前記信号処理が実行される場合、生成された前記制御信号を前記信号伝播手段に供給する制御信号生成手段（例えば図６の制御信号生成部２６２であって、具体的には例えば移動ベクトル算出部１２。または、例えば図７の制御信号生成部２８２であって、具体的には例えば図４の移動ベクトル算出部２１２）と、前記信号伝播手段により２以上の前記信号処理のうちの２番目以降の信号処理のそれぞれが順次実行される場合、前記制御信号生成手段により生成された前記制御信号を、前記信号伝播手段の実行対象とされている信号処理に対応する形態に順次変換して、前記信号伝播手段に順次供給していくことで、前記信号伝播手段により伝播されている前記所定の信号と並行して前記制御信号を伝播していく制御信号伝播手段（例えば図６の制御信号伝播部２６４であって、具体的には例えば図２のIP変換部１１３とスケーリング部１１５。または、例えば図７の信号伝播部２８４であって、具体的には例えば図４のIP変換部２１４乃至画像処理部２１６）とを備えることを特徴とする信号処理装置。
【００２３】
この信号処理装置（例えば図７の信号処理装置２７１であって、具体的には例えば図４の画像処理装置２０１）は、前記信号伝播手段と前記制御信号伝播手段の前段に設けられ、前記入力手段に入力された前記所定の信号に対して、前記制御信号生成手段により生成された前記制御信号を重畳する制御信号重畳手段（例えば図７の制御信号重畳部２８３であって、具体的には例えば図４の移動ベクトル重畳部２１３）をさらに設け、前記信号伝播手段と前記制御信号伝播手段とは同一の伝播手段（例えば図７の信号伝播部２８４であって、具体的には例えば図４のIP変換部２１４乃至画像処理部２１６）であり、同一の前記伝播手段は、前記制御信号重畳手段により前記制御信号が重畳された前記所定の信号に対して２以上の前記信号処理を順次施していくことで、前記所定の信号と前記制御信号とのそれぞれを前記入力手段から前記出力手段まで伝播するようにすることができる。
【００２４】
この信号処理装置（例えば、図２の画像処理装置１０１または図４の画像処理装置２０１）において、前記所定の信号は、複数のアクセスユニットから構成される動画像に対応する画像信号であり、前記制御信号は、複数の前記アクセスユニットのそれぞれを構成する各画素の移動ベクトルのそれぞれを示す信号であり、前記信号伝播手段は、２以上の前記信号処理のそれぞれとして、アクセスユニットを単位とし、かつ、処理の対象となるアクセスユニットを構成する各画素の前記移動ベクトルのそれぞれを利用する信号処理（例えば、図２のIP変換部１１４または図４のIP変換部２１４が実行するIP変換処理や、図２の画像処理部１１７または図４の画像処理部２１６が実行する各種画像処理）を前記画像信号に対して施していくことで、前記画像信号を前記入力手段から前記出力手段まで伝播するようにすることができる。
【００２５】
本発明によれば信号処理方法が提供される。この信号処理方法は、所定の信号を入力する入力手段（例えば図２の画像入力部１１１または図４の画像入力部２１１）と、前記所定の信号を出力する出力手段（例えば図２の画像出力部１１８または図４の画像出力部２１７）と、前記入力手段と前記出力手段の間に設けられ、前記入力手段に入力された前記所定の信号に対して、制御信号を利用する２以上の信号処理を順次施していくことで、前記所定の信号を前記入力手段から前記出力手段まで伝播する信号伝播手段（例えば図２のIP変換部１１４，スケーリング部１１６，画像処理部１１７。または、例えば図４のIP変換部２１４乃至画像処理部２１６）とを備える信号処理装置（例えば図２の画像処理装置１０１または図４の画像処理装置２０１）の信号処理方法であって、前記信号伝播手段により順次実行される２以上の前記信号処理のうちの１番目の信号処理に対応する形態で前記制御信号を生成し、前記信号伝播手段により１番目の前記信号処理が実行される場合、生成された前記制御信号を前記信号伝播手段に供給する制御信号生成ステップ（例えば、図３のステップＳ２または図５のＳ２２の処理）と、前記信号伝播手段により２以上の前記信号処理のうちの２番目以降の信号処理のそれぞれが実行される場合、前記制御信号生成ステップの処理により生成された前記制御信号を、前記信号伝播手段の実行対象とされている信号処理に対応する形態に順次変換して、前記信号伝播手段に順次供給していくことで、前記信号伝播手段により伝播されている前記所定の信号と並行して前記制御信号を伝播させる制御を行う制御信号伝播制御ステップ（例えば、図３のステップＳ４およびＳ６の処理。または、例えば、図５のステップＳ２４とＳ２６の処理）とを含むことを特徴とする。
【００２６】
次に、図面を参照して、本発明の実施の形態について説明する。
【００２７】
図１は、本発明が適用される信号処理システムの一形態である画像処理装置の機能的構成の一例を示している。
【００２８】
図１に示されるように、この画像処理装置１には、画像入力部１１乃至画像出力部１７が設けられている。
【００２９】
この画像処理装置１には、テレビジョン放送信号等の動画像信号が入力画像信号として入力される。詳細には、入力画像信号は画像入力部１１に入力される。画像入力部１１は、入力画像信号に対してYC分離等を適宜施し、その結果得られる信号を出力する。この画像入力部１１の出力信号は、移動ベクトル算出部１２とIP変換部１３とのそれぞれに供給される。
【００３０】
移動ベクトル算出部１２は、画像入力部１１の出力信号に対応する動画像を構成する各フィールドのそれぞれについての、各画素毎の移動ベクトルを算出する。そして、移動ベクトル算出部１２は、このようにして算出された各移動ベクトルのそれぞれを示す制御信号を生成し、出力する。この移動ベクトル算出部１２の出力信号、即ち、制御信号は、IP変換部１３に供給される。
【００３１】
このようにして、IP変換部１３には、画像入力部１１の出力信号が供給されるとともに、その出力信号に対応する各移動ベクトルのそれぞれを示す制御信号が移動ベクトル算出部１２から供給される。そこで、IP変換部１３は、その制御信号が示す各移動ベクトルを利用して、画像入力部１１の出力信号の形態をインタレースからプログレッシブに変換して、出力する。IP変換部１３の出力信号はスケーリング部１４に供給される。
【００３２】
即ち、図１の例では、画像入力部１１と移動ベクトル算出部１２の処理の単位はフィールド（インタレース信号）とされていたのに対して、それらの後段のスケ−リング部１４乃至画像出力部１７の処理の単位はフレーム（プログレッシブ信号）とされているので、IP変換部１３が設けられているのである。
【００３３】
スケーリング部１４は、IP変換部１３の出力信号に対してスケーリング処理を施し、その結果得られる信号を出力する。なお、スケーリング処理とは、IP変換部１３の出力信号に対応する動画像を構成する各フレームのそれぞれの大きさを変更させる処理を指す。このスケーリング部１４の出力信号は、移動ベクトル算出部１５と画像処理部１６とのそれぞれに供給される。
【００３４】
移動ベクトル算出部１５は、スケーリング部１４の出力信号に対応する動画像を構成する各フレームのそれぞれについての、各画素毎の移動ベクトルを算出する。そして、移動ベクトル算出部１５は、このようにして算出された各移動ベクトルのそれぞれを示す制御信号を生成し、出力する。この移動ベクトル算出部１５の出力信号、即ち、制御信号は、画像処理部１６に供給される。
【００３５】
このようにして、画像処理部１６には、スケーリング部１４の出力信号が供給されるとともに、その出力信号に対応する各移動ベクトルのそれぞれを示す制御信号が移動ベクトル算出部１５から供給される。そこで、画像処理部１６は、その制御信号が示す各移動ベクトルを利用して、スケーリング部１４の出力信号に対して各種画像処理を施し、その結果得られる信号を出力する。なお、各種画像処理とは、例えば、スケーリング部１４の出力信号に対応する動画像を構成する各フレームのそれぞれに対して、画像強調やディザ等を行う処理を指す。
【００３６】
この画像処理部１６の出力信号は、画像出力部１７に供給される。そこで、画像出力部１７は、画像処理部１６の出力信号に対して適宜必要な信号処理を施した上、図示せぬ表示デバイス等外部機器に出力する。
【００３７】
ところで、以上説明したように、図１の画像処理装置１においては、画像入力部１１から画像出力部１７まで伝播される信号は動画像信号のみであり、移動ベクトルを示す制御信号は伝播されない。即ち、図１の画像処理装置１においては、IP変換部１３の処理用の移動ベクトルを算出する移動ベクトル算出部１２と、画像処理部１６の処理用の移動ベクトルを算出する移動ベクトル算出部１５とが個別に設けられている。換言すると、移動ベクトル算出部１２により算出された移動ベクトルは、IP変換部１３に伝播されるのみで、その後段の画像処理部１６には伝播されないため、移動ベクトル算出部１５がさらに設けられているのである。
【００３８】
これらの移動ベクトル算出部１２と移動ベクトル算出部１５とのそれぞれが例えば２つの相異なる回路で構成されている場合、これらの２つの回路の規模は大きなものとなってしまう。その結果、このような移動ベクトル算出部１２と移動ベクトル算出部１５との両者を搭載する画像処理装置１についても、その回路規模は当然ながら大きくなってしまうという課題が発生してしまう。
【００３９】
そこで、本発明人は、この課題を解決すべく、図２に示される画像処理装置をさらに発明した。即ち、図２は、本発明が適用される信号処理装置としての画像処理装置の機能的構成の他の例（図１とは異なる例）を示す図である。
【００４０】
図２に示されるように、この画像処理装置１０１には、画像入力部１１１乃至画像出力部１１８が設けられている。
【００４１】
画像入力部１１１、移動ベクトル算出部１１２、IP変換部１１４、スケーリング部１１６、画像処理部１１７、および、画像出力部１１８のそれぞれは、上述した図１における画像入力部１１、移動ベクトル算出部１２、IP変換部１３、スケーリング部１４、画像処理部１６、および、画像出力部１７のそれぞれと基本的に同様の機能と構成を有することができる。従って、それらの詳細な説明については省略する。
【００４２】
ただし、上述した図１の画像処理装置１においては、画像処理部１６が利用する移動ベクトルは、移動ベクトル算出部１２により算出された移動ベクトルではなく、その移動ベクトル算出部１２とは別個に設けられた移動ベクトル算出部１５により算出された移動ベクトルとされていた。
【００４３】
これに対して、図２の画像処理装置１０１においては、画像入力部１１１の出力信号に基づいて移動ベクトル算出部１１２により算出された移動ベクトルは、制御信号として移動ベクトル算出部１１２から出力され、その後、IP変換部１１３とスケーリング部１１５とを経路として伝播されていき、最終的に画像処理部１１７に入力される。従って、画像処理部１１７は、そのように伝播されてきた制御信号が示す各移動ベクトルを利用して、上述した各種画像処理を実行することができる。
【００４４】
詳細には、移動ベクトル算出部１１２により算出された各移動ベクトル、即ち、入力画像信号に対応する動画像（以下、入力画像と称する）を構成する各フィールドのそれぞれについての、各画素毎の移動ベクトルを示す制御信号が、その移動ベクトル算出部１１２からIP変換部１１３に供給される。
【００４５】
なお、IP変換部１１３へ入力される制御信号の形態は特に限定されないが、ここでは、フィールドを単位とする制御信号であるとする。即ち、移動ベクトルを画素値として有する画素から構成されるフィールドであって、入力画像を構成する各フィールドと同一空間解像度（縦横とも同一画素数）のフィールドが、ここでのIP変換部１１３の入力単位とされる。以下、このようなIP変換部１１３の入力単位となるフィールドを、移動ベクトルフィールドと称する。
【００４６】
従って、ここでは、移動ベクトルフィールドに対応する画像信号、即ち、移動ベクトルフィールドを構成する各画素の画素値（＝移動ベクトル）からなる画素値群が制御信号として、移動ベクトル算出部１１２からIP変換部１１３に供給されることになる。
【００４７】
なお、以下、移動ベクトルフィールドに対応する画像信号、即ち、移動ベクトル算出部１１２から出力される制御信号を、移動ベクトルフィールド信号と称する。
【００４８】
同様に、以下、他の形態のフィールドまたはフレームに対応する画像信号、即ち、他の形態のフィールドまたはフレームを構成する各画素のそれぞれの画素値からなる画素値群を、フィールド信号またはフレーム信号と称する。
【００４９】
具体的には例えば、図２の例では、画像入力部１１１の出力信号、即ち、入力画像（動画像）を構成する各フィールドのそれぞれに対応する画像信号を、以下、入力フィールド信号と称する。
【００５０】
同様に、IP変換部１１４の出力信号、即ち、入力画像（動画像）を構成する各フレームのそれぞれに対応する画像信号を、以下、入力フレーム信号と称する。
【００５１】
また、スケーリング部１１６の出力信号、即ち、サイズが変換された各入力フレーム（以下、他のフレームと区別するため、スケーリングフレームと称する）のそれぞれに対応する画像信号を、以下、スケーリングフレーム信号と称する。
【００５２】
そして、画像処理部１１７からの出力信号、即ち、画像処理が施された各スケーリングフレーム（以下、他のフレームと区別するため、画像処理済フレームと称する）のそれぞれに対応する画像信号を、以下、画像処理済フレーム信号と称する。
【００５３】
従って、画像出力部１１８の出力画像信号とは、正確には、画像出力部１１８により適宜必要な信号処理が施された各画像処理済みフレーム信号全体、即ち、入力画像を構成する各フレームのそれぞれに対応するフレーム信号全体から形成される信号を指す。即ち、画像出力部１１８から出力されるフレーム信号の単体は、正確には、出力画像信号のうちの一部分を形成する信号である。ただし、以下の説明では、フレーム信号と、それらのフレーム信号全体から形成される動画像信号とを特に区別する必要がない場合には、画像出力部１１８から出力されるフレーム信号の単体も、単に出力画像信号と称する。
【００５４】
その他のブロック（図２の例ではIP変換部１１３とスケーリング部１１５）の出力信号、即ち、その他のフィールドまたはフレームに対応する画像信号の呼称については、対応するブロックを説明するときに定義する。
【００５５】
ところで、IP変換部１１３は、移動ベクトル算出部１１２の出力信号、即ち、各移動ベクトルフィールド信号のそれぞれに対して、フィールドを単位とするIP変換処理を施して出力する。
【００５６】
換言すると、各入力フレーム信号（IP変換部１１４の出力信号）のそれぞれに対する制御信号、即ち、各入力フレームのそれぞれを構成する各画素の移動ベクトルを画素値として有するフレーム信号がIP変換部１１３により生成されて出力される。
【００５７】
なお、以下、このようなIP変換部１１３の出力信号（フレーム信号）を、移動ベクトルフレーム信号と称する。また、移動ベクトルフレーム信号に対応するフレームを、以下、移動ベクトルフレームと称する。即ち、移動ベクトルフレームとは、入力フレームと同一空間解像度（縦横とも同一画素数）のフレームであって、入力フレームを構成する各画素の移動ベクトルのそれぞれを画素値として有する画素からなるフレームを指す。
【００５８】
IP変換部１１３から順次出力される各移動ベクトルフレーム信号のそれぞれは、スケーリング部１１５に供給される。すると、スケーリング部１１５は、各移動ベクトルフレーム信号のそれぞれに対してスケーリング処理を施して出力する。なお、ここでのスケーリング処理とは、各移動ベクトルフレーム信号のそれぞれについて、対応する移動ベクトルフレームの大きさをスケーリングフレーム（スケーリング部１１６から出力されるフレーム）の大きさと同一の大きさに変換させる処理を指す。
【００５９】
換言すると、各スケーリングフレーム画像信号（スケーリング部１１６の出力信号）のそれぞれに対する制御信号、即ち、各スケーリングフレームのそれぞれを構成する各画素の移動ベクトルを画素値として有するフレーム信号がスケーリング部１１５により生成されて出力される。
【００６０】
なお、以下、このようなスケーリング部１１５の出力信号（フレーム信号）を、スケーリング移動ベクトルフレーム信号と称する。また、スケーリング移動ベクトルフレーム信号に対応するフレームを、以下、スケーリング移動ベクトルフレームと称する。即ち、スケーリング移動ベクトルフレームとは、スケーリングフレームと同一空間解像度（縦横とも同一画素数）のフレームであって、スケーリングフレームを構成する各画素の移動ベクトルのそれぞれを画素値として有する画素からなるフレームを指す。
【００６１】
スケーリング部１１５から順次出力される各スケーリング移動ベクトルフレーム信号のそれぞれは、画像処理部１１７に供給される。従って、画像処理部１１７は、スケーリング部１１６から順次供給されてくる各スケーリングフレーム信号のそれぞれに対して上述した各種画像処理を施す場合、処理対象のスケーリングフレーム信号に対応するスケーリング移動ベクトルフレーム信号を利用することができる。詳細には、画像処理部１１７は、スケーリング移動ベクトルフレーム信号を構成する各画素値、即ち、処理対象のスケーリングフレームを構成する各画素の移動ベクトルを利用することができる。
【００６２】
以上説明したように、図２の画像処理装置１０１は、図１の画像処理装置１とは異なり、画像信号だけではなく、移動ベクトルを示す制御信号も常に後段に伝播していくことができる。即ち、図２の画像処理装置１０１は、画像処理装置１とは異なり、入力段階で算出された移動ベクトルと画像信号とが一対一に対応付けられるように、画像信号に施した信号処理を制御信号（移動ベクトル）にも施すことで、移動ベクトルも画像信号と同様に変化させていくことができる。その結果、移動ベクトルを効率よく用いることが可能になる。
【００６３】
また、このように移動ベクトルの算出は１回でよいので、当然ながら移動ベクトル算出部も１つ（図２の例では、移動ベクトル算出部１１２）でよいことになる。この場合、上述したように、移動ベクトルを画像信号と同様に変化させながら伝播していく伝播部（図２の例では、IP変換部１１３とスケーリング部１１５）が必要になるが、この伝播部の処理量（負荷）は、移動ベクトル算出部と比べて遥かに少ないので、移動ベクトル算出部よりも遥かに小規模の回路で構成することができる。以上のことから、画像処理装置１０１全体も、図１の画像処理装置１と比較して小規模の回路で構成することができる。即ち、図１の画像処理装置１が有する課題を解決することが可能になる。
【００６４】
次に、図３のフローチャートを参照して、このような図２の機能的構成を有する画像処理装置１０１の画像処理について説明する。
【００６５】
画像入力部１１１に入力画像信号が入力されると、画像処理は開始される。
【００６６】
即ち、ステップＳ１において、画像入力部１１１は、入力画像（入力画像信号に対応する動画像）を構成する各静止画像（以下、コマと称する。即ち、ここで言うコマとはいわゆるフレームを指す）のうちの次のコマを注目コマに設定する。例えば入力画像信号が入力された直後のステップＳ１の処理では、最初のコマが注目コマに設定されることになる。ただし、この場合、最初のコマについての移動ベクトルは算出されず、全画素とも固定値（例えば０）が設定される。そこで、以下、入力画像信号に対応する動画像がMコマ（Mは任意の整数値）から構成されるとし、ステップＳ１の処理で、そのうちのｋ番目（ｋは、２以上M以下の整数値）のコマが注目コマに設定された場合のそれ以降の処理として説明する。
【００６７】
即ち、注目コマ（ｋ番目のコマ）を構成する２つの入力フィールドのそれぞれに対応する画像信号、即ち、２つの入力フィールド信号が、画像入力部１１１からIP変換部１１４と移動ベクトル算出部１１２とのそれぞれに供給されると、処理はステップＳ２に進む。
【００６８】
ステップＳ２において、移動ベクトル算出部１１２は、注目コマを構成する２つの入力フィールドのそれぞれについての各画素毎の移動ベクトルを算出し、その結果得られる移動ベクトルフィールド信号をIP変換部１１４とIP変換部１１３とのそれぞれに出力する。
【００６９】
詳細には例えば、移動ベクトル算出部１１２は、ステップＳ２の処理の時点で、直前のコマであるk-1番目のコマを構成する２つの入力フィールドのそれぞれに対応する画像信号、即ち、k-1番目のコマが注目コマとされた場合に画像入力部１１１から供給された２つの入力フィールド信号を保持している。そこで、移動ベクトル算出部１１２は、直前のk-1番目のコマに対応する２つの入力フィールド信号のそれぞれと、注目コマであるk番目のコマに対応する２つの入力フィールド信号とを比較する。そして、移動ベクトル算出部１１２は、その比較結果に基づいて、注目コマであるk番目のコマを構成する２つの入力フィールドのそれぞれについての各画素毎の移動ベクトル（即ち、k-1番目の注目コマにおける対応画素からの移動方向と移動距離）を算出し、その結果得られる移動ベクトルフィールド信号をIP変換部１１４とIP変換部１１３とのそれぞれに出力する。
【００７０】
すると、ステップＳ３において、IP変換部１１４は、２つの移動ベクトルフィールド信号（IP変換部１１３の出力信号）を利用して、２つの入力フィールド信号（画像入力部１１１の出力信号）に対してIP変換を施し、その結果得られる１つの入力フレーム信号をスケーリング部１１６に出力する。
【００７１】
また、ステップＳ４において、IP変換部１１３は、２つの移動ベクトルフィールド信号（IP変換部１１３の出力信号）に対してIP変換を施し、その結果得られる１つの移動ベクトルフレーム信号をスケーリング部１１５に出力する。
【００７２】
即ち、ステップＳ３の処理で入力フレーム信号が得られ、また、ステップＳ４の処理で、その入力フレーム信号に対応する移動ベクトルフレーム信号が得られるのである。
【００７３】
なお、図３の例では、ステップＳ３のIP変換部１１４の処理の後、ステップＳ４のIP変換部１１３の処理が実行されるように記述されているが、実際には、ステップＳ３のIP変換部１１４の処理と、ステップＳ４のIP変換部１１３の処理とは並列に実行される。即ち、ステップＳ３のIP変換部１１４の処理と、ステップＳ４のIP変換部１１３の処理とが同時に実行されることもあるし、ステップＳ４のIP変換部１１３の処理が、ステップＳ３のIP変換部１１４の処理の前に実行されることもある。換言すると、ステップＳ３とＳ４の処理の順番は特に限定されない。
【００７４】
ステップＳ５において、スケーリング部１１６は、入力フレーム信号（IP変換部１１４の出力信号）に対してスケーリング処理を施し、その結果得られるスケーリングフレーム信号を画像処理部１１７に供給する。
【００７５】
また、ステップＳ６において、スケーリング部１１５は、移動ベクトルフレーム信号（IP変換部１１３の出力信号）に対してスケーリング処理を施し、その結果得られるスケーリング移動ベクトルフレーム信号を画像処理部１１７に供給する。
【００７６】
即ち、ステップＳ５の処理でスケーリングフレーム信号が得られ、また、ステップＳ６の処理で、そのスケーリングフレーム信号に対応するスケーリング移動ベクトルフレーム
信号が得られるのである。
【００７７】
なお、図３の例では、ステップＳ５のスケーリング部１１６の処理の後、ステップＳ６のスケーリング部１１５の処理が実行されるように記述されているが、実際には、ステップＳ５のスケーリング部１１６の処理と、ステップＳ６のスケーリング部１１５の処理とは並列に実行される。即ち、ステップＳ５のスケーリング部１１６の処理と、ステップＳ６のスケーリング部１１５の処理とが同時に実行されることもあるし、ステップＳ６のスケーリング部１１５の処理が、ステップＳ５のスケーリング部１１６の処理の前に実行されることもある。換言すると、ステップＳ５とＳ６の処理の順番は特に限定されない。
【００７８】
このようにして、スケーリングフレーム信号（スケーリング部１１６の出力信号）と、それに対応するスケーリング移動ベクトルフレーム信号（スケーリング部１１５の出力信号）とが画像処理部１１７に供給されると、処理はステップＳ７に進む。
【００７９】
ステップＳ７において、画像処理部１１７は、スケーリング移動ベクトルフレーム信号（スケーリング部１１５の出力信号）を利用して、即ち、各移動ベクトルを利用して、スケーリングフレーム信号（スケーリング部１１６の出力信号）に対して所定の画像処理を施し、その結果得られる画像処理済フレーム信号を、出力画像信号として画像出力部１１８を介して出力する。
【００８０】
例えばいまの場合、ステップＳ７の処理で、動画像を構成する各コマのうちの注目コマであるｋ番目のコマに対応する画像信号が、出力画像信号として出力される。
【００８１】
なお、上述したように、画像処理済フレーム信号は、画像処理部１１８によりさらに所定の信号処理が施された上、出力画像信号として出力されることもある。
【００８２】
ステップＳ８において、画像入力部１１１は、入力画像信号に対応する動画像を構成する全コマの出力が終了したか否かを判定する。
【００８３】
例えばいまの場合、注目コマはｋ番目のコマであるので、k=M以外のとき、即ち、注目コマが最後のM番目のコマ以外のとき、ステップＳ８において、ＮＯであると判定され、処理はステップＳ１に戻され、それ以降の処理が繰り返される。即ち、今度は、k+1番目のコマが注目コマに設定されて、上述したステップＳ２乃至Ｓ７までの一連の処理が繰り返され、その結果、ｋ+1番目のコマに対応する画像信号が、出力画像信号として出力されるのである。
【００８４】
その後、以上のようなステップＳ１乃至Ｓ８の処理が繰り返し実行されて、最後のコマ、即ち、M番目のコマに対応する画像信号が出力画像信号として出力されると、ステップＳ８において、ＹＥＳであると判定されて、この画像処理は終了となる。
【００８５】
以上、本発明が適用される信号処理装置の実施の形態として、図２に示されるような機能的構成を有する画像処理装置１０１について説明したが、本発明は、図２の例に限定されず、その他様々な実施の形態を取ることが可能である。
【００８６】
具体的には例えば、図４には、本発明が適用される信号処理装置の他の実施の形態である画像処理装置が示されている。即ち、図４は、本発明が適用される他の信号処理装置としての画像処理装置を示している。
【００８７】
この画像処理装置２０１には、画像入力部２１１乃至画像出力部２１７が設けられている。
【００８８】
画像入力部２１１、移動ベクトル算出部２１２、IP変換部２１４、スケーリング部２１５、画像処理部２１６、および画像出力部２１７のそれぞれは、上述した図１における画像入力部１１、移動ベクトル算出部１２、IP変換部１３、スケーリング部１４、画像処理部１６、および画像出力部１７のそれぞれと基本的に同様の機能と構成を有することができる。即ち、画像入力部２１１、移動ベクトル算出部２１２、IP変換部２１４、スケーリング部２１５、画像処理部２１６、および画像出力部２１７のそれぞれは、上述した図２における画像入力部１１１、移動ベクトル算出部１１２、IP変換部１１４、スケーリング部１１６、画像処理部１１７、および画像出力部１１８のそれぞれと同様の機能と構成を有することができる。従って、それらの詳細な説明については省略する。
【００８９】
ただし、上述した図２の画像処理装置１０１においては、画像入力部１１１に入力された入力画像信号の画像処理部１１７までの伝播経路（IP変換部１１４、スケーリング部１１６、および、画像処理部１１７といった順番の経路）と、移動ベクトル算出部１１２の出力信号、即ち、移動ベクトルを示す制御信号の画像処理部１１７までの伝播経路（IP変換部１１３、スケーリング部１１５、および画像処理部１１７といった順番の経路）とは別々に設けられていた。これに対して、この図４の画像処理装置２０１においては、画像信号の伝播経路と制御信号（移動ベクトル）の伝播経路とは一致している。即ち、IP変換部２１４乃至画像処理部２１６までの経路が、画像信号の伝播経路と移動ベクトルの伝播経路との両者として併用されている。
【００９０】
このため、図４の画像処理装置２０１には移動ベクトル重畳部２１３が設けられているのである。即ち、この移動ベクトル重畳部２１３は、画像入力部２１１の出力信号（各入力フィールド信号のそれぞれ）に対して、移動ベクトル算出部２１２から出力される制御信号（各移動ベクトルフィールド信号）のそれぞれを重畳し、その結果得られるフィールド信号（以下、移動ベクトル重畳入力フィールド信号と称する）をIP変換部２１４に供給する。
【００９１】
なお、１つの入力フィールド信号に対して、対応する１つの移動ベクトルフィールド信号を重畳する手法については特に限定されない。
【００９２】
具体的には、例えば、１つの入力フィールド信号のうちの無効ラインに対応する信号に、対応する１つの移動ベクトルフィールド信号（入力フィールドを構成する各画素のそれぞれの移動ベクトル）を重畳する手法を利用することができる。或いは、例えば、１つの入力フィールド信号を構成する各画素値のデータ領域を増やし（データサイズを増やし）、各画素値のそれぞれのデータ領域のうちの増加部分に、対応する移動ベクトル（即ち、移動ベクトルフィールド信号を構成する各画素値のうちの対応する画素値）を代入させる手法を利用することができる。
【００９３】
ところで、移動ベクトル重畳部２１３の出力信号、即ち、各移動ベクトル重畳入力フィールド信号のそれぞれがIP変換部２１４に供給されると、IP変換部２１４は、各移動ベクトル重畳入力フィールド信号のそれぞれに対してIP変換処理を施す。このとき、IP変換部２１４は、各移動ベクトル重畳入力フィールド信号自身に含まれる移動ベクトルフィールド信号を制御信号として利用することができる。即ち、IP変換部２１４は、その制御信号が示す移動ベクトルを利用することができる。
【００９４】
結局、IP変換部２１４により実行される処理は、図２のIP変換部１１４の処理とIP変換部１１５の処理とを同時に実行するのと等価な処理となる。即ち、各入力フィールド信号のそれぞれに対してIP変換を施すことで各入力フレーム信号のそれぞれを生成する処理（IP変換部１１４の処理）と、それらに重畳された各移動ベクトルフィールド信号のそれぞれに対してIP変換を施すことで各移動ベクトルフレーム信号のそれぞれを生成する処理とを同時に実行するのと等価な処理が、IP変換部２１４により実行されることになる。その結果、各入力フレーム信号のそれぞれに対して、対応する移動ベクトルフレーム信号が重畳された信号（以下、移動ベクトル重畳入力フレーム信号と称する）が生成されて、IP変換部２１４から出力されることになる。
【００９５】
このIP変換部２１４の出力信号、即ち、各移動ベクトル重畳入力フレーム信号のそれぞれは、スケーリング部２１５に供給される。すると、スケーリング部２１５は、各移動ベクトル重畳入力フレーム信号のそれぞれに対してスケーリング処理を施す。
【００９６】
このスケーリング部２１５により実行される処理も、IP変換部２１４の処理と同様に、図２のスケーリング部１１６の処理と図２のスケーリング部１１５の処理とを同時に実行するのと等価な処理となる。即ち、各入力フレーム信号のそれぞれに対してスケーリング処理を施すことで各スケーリングフレームのそれぞれを生成する処理（図２のスケーリング部１１６の処理）と、それらに重畳された各移動ベクトルフレーム信号のそれぞれに対してスケーリング処理を施すことで各スケーリング移動ベクトルフレーム信号のそれぞれを生成する処理（図２のスケーリング部１１５の処理）とを同時に実行するのと等価な処理が、スケーリング部２１５により実行される。その結果、各スケーリングフレーム信号のそれぞれに対して、対応するスケーリング移動ベクトルフレーム信号が重畳された信号（以下、移動ベクトル重畳スケーリングフレーム信号と称する）が生成されて、スケーリング部２１５から出力されることになる。
【００９７】
このスケーリング部２１５の出力信号、即ち、各移動ベクトル重畳スケーリングフレーム信号のそれぞれは、画像処理部２１６に供給される。すると、画像処理部２１６は、各移動ベクトル重畳スケーリングフレーム信号のそれぞれから、各スケーリング移動ベクトルフレーム信号のそれぞれと、各スケーリングフレーム信号のそれぞれとを分離させる。そして、画像処理部２１６は、各スケーリング移動ベクトルフレーム信号のそれぞれを利用して、即ち、各移動ベクトルを利用して、各スケーリングフレーム信号のそれぞれに対して上述した各種画像処理を施し、その結果得られる各画像処理済フレーム信号のそれぞれを画像出力部２１７に供給する。
【００９８】
画像出力部２１７は、各画像処理済フレーム信号のそれぞれに対して、適宜必要な信号処理を施した上、出力画像信号として出力する。
【００９９】
以上、説明したように、図４の画像処理装置２０１も、図２の画像処理装置１０１と同様に、画像信号だけではなく、移動ベクトルを示す制御信号も常に後段に伝播していくことができる。即ち、図４の画像処理装置２０２も、図１の画像処理装置１とは異なり、入力段階で算出された移動ベクトルと画像信号とが一対一に対応付けできるように、画像信号に施した信号処理を制御信号（移動ベクトル）にも施すことで、移動ベクトルも画像信号と同様に変化させていくことができる。その結果、移動ベクトルを効率よく用いることが可能になる。
【０１００】
また、このように移動ベクトルの算出は１回でよいので、当然ながら移動ベクトル算出部も１つ（図４の例では、移動ベクトル算出部２１２）でよいことになる。さらに、図４の構成では、移動ベクトルを画像信号と同様に変化させていきながら伝播する伝播部は、画像信号の伝播部（図４の例では、IP変換部２１４乃至画像出力部２１７の順で伝播される伝播部）と併用することができる。従って、画像処理装置２０１全体を、さらに小規模の回路で構成することができる。即ち、図１の画像処理装置１が有する課題をよりよく解決することが可能になる。
【０１０１】
次に、図５のフローチャートを参照して、このような図４の機能的構成を有する画像処理装置２０１の画像処理について説明する。
【０１０２】
画像入力部２１１に入力画像信号が入力されると、画像処理は開始される。
【０１０３】
即ち、ステップＳ２１において、画像入力部２１１は、入力画像信号に対応する動画像を構成する各コマのうちの次のコマを注目コマに設定する。ここでも、図３の説明と同様に、以下、入力画像信号に対応する動画像がMコマから構成されるとし、ステップＳ２１の処理で、そのうちのｋ番目のコマが注目コマに設定された場合のそれ以降の処理として説明する。
【０１０４】
即ち、注目コマ（ｋ番目のコマ）を構成する２つの入力フィールドのそれぞれに対応する画像信号、即ち、２つの入力フィールド信号が、画像入力部２１１から移動ベクトル重畳部２１３と移動ベクトル算出部２１２とのそれぞれに供給されると、処理はステップＳ２２に進む。
【０１０５】
ステップＳ２２において、移動ベクトル算出部２１２は、注目コマを構成する２つの入力フィールドのそれぞれについての各画素毎の移動ベクトルを算出し、その結果得られる移動ベクトルフィールド信号を移動ベクトル重畳部２１３に出力する。
【０１０６】
すると、ステップＳ２３において、移動ベクトル重畳部２１３は、２つの入力フィールド信号（画像入力部２１１の出力信号）のそれぞれに対して、２つの移動ベクトルフィールド信号（移動ベクトル算出部２１２の出力信号）のそれぞれを重畳し、その結果得られる１つの移動ベクトル重畳入力フィールド信号をIP変換部２１４に出力する。
【０１０７】
ステップＳ２４において、IP変換部２１４は、２つの移動ベクトル重畳入力フィールド信号（移動ベクトル重畳部２１３の出力信号）自身に含まれる２つの移動ベクトルフィールド信号を利用して、即ち、各移動ベクトルを利用して、２つの移動ベクトル重畳入力フィールド信号に対してIP変換を施し、その結果得られる１つの移動ベクトル重畳入力フレーム信号をスケーリング部２１５に出力する。
【０１０８】
ステップＳ２５において、スケーリング部２１５は、移動ベクトル重畳入力フレーム信号（IP変換部２１４の出力信号）に対してスケーリング処理を施し、その結果得られる移動ベクトル重畳スケーリングフレーム信号を画像処理部２１６に供給する。
【０１０９】
ステップＳ２６において、画像処理部２１６は、移動ベクトル重畳スケーリングフレーム信号（スケーリング部２１５の出力信号）から、スケーリング移動ベクトルフレーム信号と、スケーリングフレーム信号とを分離させる。
【０１１０】
そして、ステップＳ２７において、画像処理部２１６は、ステップＳ２６の処理で分離されたスケーリング移動ベクトルフレーム信号を利用して、即ち、各移動ベクトルを利用して、同じくステップＳ２６の処理で分離されたスケーリングフレーム信号に対して所定の画像処理を施し、その結果得られる画像処理済フレーム信号を、画像出力部２１７を介して出力画像信号として出力する。
【０１１１】
例えばいまの場合、ステップＳ２７の処理で、動画像を構成する各コマのうちの注目コマであるｋ番目のコマに対応する画像信号が、出力画像信号として出力される。
【０１１２】
なお、上述したように、画像処理済フレーム信号は、画像出力部２１７により所定の信号処理が施された後、出力画像信号として出力されることもある。
【０１１３】
ステップＳ２８において、画像入力部２１１は、入力画像信号に対応する動画像を構成する全コマの出力が終了したか否かを判定する。
【０１１４】
例えばいまの場合、注目コマはｋ番目のコマであるので、k=M以外のとき、即ち、注目コマが最後のM番目のコマ以外のとき、ステップＳ２８において、ＮＯであると判定され、処理はステップＳ２１に戻され、それ以降の処理が繰り返される。即ち、今度は、k+1番目のコマが注目コマに設定されて、上述したステップＳ２２乃至Ｓ２７までの一連の処理が繰り返され、その結果、ｋ+1番目のコマに対応する画像信号が、出力画像信号として出力されるのである。
【０１１５】
その後、以上のようなステップＳ２１乃至Ｓ２８の処理が繰り返し実行されて、最後のコマ、即ち、M番目のコマに対応する画像信号が出力画像信号として出力されると、ステップＳ２８において、ＹＥＳであると判定されて、この画像処理は終了となる。
【０１１６】
ところで、上述した例では、１つのコマ（フレーム）が単位（以下、この単位をコマ単位と称する）とされ、コマ単位毎に２つの移動ベクトルフィールド信号が生成されたが、コマ単位毎に１つの移動ベクトルフィールド信号が生成されてもよい。
【０１１７】
コマ単位毎に１つの移動ベクトルフィールド信号が生成される場合においても、図２の画像処理装置１０１が実行する「画像処理」は、基本的に上述した図３のフローチャートの流れに従った処理になる。ただし、ステップＳ２乃至Ｓ４の処理のそれぞれの代わりに、次のような処理が実行されることになる。
【０１１８】
即ち、ステップＳ２の代わりの処理として、移動ベクトル算出部１１２は、「注目コマを構成する２つの入力フィールドのうちの何れか一方を注目フィールドとし、注目フィールドの各画素毎の移動ベクトルを算出し、その結果得られる１つの移動ベクトルフィールド信号をIP変換部１１４とIP変換部１１３とのそれぞれに出力する」といった処理を実行する。
【０１１９】
詳細には例えば、移動ベクトル算出部１１２は、ステップＳ２の代わりの処理の時点で、注目フィールドに対応する入力フィールド信号（以下、注目フィールド信号と称する）と、注目フィールドの直前のフィールドに対応する入力フィールド信号（以下、直前フィールド信号と称する）とを保持している。そこで、移動ベクトル算出部１１２は、注目フィールド信号と直前フィールド信号とを比較し、その比較結果に基づいて、注目フィールドの各画素毎の移動ベクトルを算出する。即ち、移動ベクトル算出部１１２は、注目フィールドを構成する各画素のそれぞれを注目画素に順次設定し、直前のフィールドを構成する各画素の中から、注目画素の対応画素（対応点）を検出し、対応画素から注目画素までの移動方向と移動距離とを、注目画素の移動ベクトルとして算出する。その結果として、１つの移動ベクトルフィールド信号が得られるので、それがIP変換部１１４とIP変換部１１３とのそれぞれに出力される。
【０１２０】
すると、ステップＳ３の代わりの処理として、IP変換部１１４は、「１つの移動ベクトルフィールド信号（IP変換部１１３の出力信号）を利用して、２つの入力フィールド信号（画像入力部１１１の出力信号）に対してIP変換を施し、その結果得られる１つの入力フレーム信号をスケーリング部１１６に出力する」といった処理を実行する。
【０１２１】
また、ステップＳ４の代わりの処理として、IP変換部１１３は、「１つの移動ベクトルフィールド信号（IP変換部１１３の出力信号）に対してIP変換を施し、その結果得られる１つの移動ベクトルフレーム信号をスケーリング部１１５に出力する」といった処理を実行する。この場合、ステップＳ４の代わりの処理としてIP変換部１１３により実行されるIP変換の処理とは、従来のIP変換の処理ではなく、画像サイズをIP変換部１１４の出力と同一にすることを目的に実行される処理、例えば垂直方向２倍にスケーリングする処理を指す。
【０１２２】
上と同様に、コマ単位毎に１つの移動ベクトルフィールド信号が生成される場合においても、図４の画像処理装置２０１が実行する「画像処理」は、基本的に上述した図５のフローチャートの流れに従った処理になる。ただし、ステップＳ２２乃至Ｓ２４の処理の代わりに、次のような処理が実行されることになる。
【０１２３】
即ち、ステップＳ２２の代わりの処理として、移動ベクトル算出部２１２は、「注目コマを構成する２つの入力フィールドのうちの何れか一方を注目フィールドとし、注目フィールドの各画素毎の移動ベクトルを算出し、その結果得られる１つの移動ベクトルフィールド信号を移動ベクトル重畳部２１３に出力する」といった処理を実行する。
【０１２４】
すると、ステップＳ２３に代わる処理として、移動ベクトル重畳部２１３は、「注目コマにおける注目フィールド信号（画像入力部２１１の出力信号）に対して、１つの移動ベクトルフィールド信号（移動ベクトル算出部２１２の出力信号）を重畳し、その結果得られる１つの移動ベクトル重畳入力フィールド信号（移動ベクトルフィールド信号が重畳された注目フィールド信号）をIP変換部２１４に出力する」といった処理を実行する。なお、このとき、注目フィールドの直前のフィールドに対応する入力フィールド信号、即ち、直前フィールド信号もIP変換部２１４に供給される。
【０１２５】
そして、ステップＳ２４に代わる処理として、IP変換部２１４は、「１つの移動ベクトル重畳入力フィールド信号（移動ベクトル重畳部２１３の出力信号）に含まれる１つの移動ベクトルフィーールド信号を利用して、即ち、各移動ベクトルを利用して、注目フィールド信号と直前フィールド信号とに対してIP変換を施すとともに、１つの移動ベクトルフィールド信号に対してIP変換（例えば垂直方向２倍にするスケーリング）を施し、その結果得られる１つの移動ベクトル重畳入力フレーム信号をスケーリング部２１５に出力する」といった処理を実行する。
【０１２６】
このように、コマ（フレーム）単位毎に１つの移動ベクトルフィールド信号を生成することで、コマ単位毎に２つの移動ベクトルフィールド信号を生成する場合に比較して、画像処理装置１０１や画像処理装置２０１全体の回路規模をさらに縮小することが可能になる。なぜならば、上述したように、コマ単位毎に１つの移動ベクトルフィールド信号を生成するためには、注目フィールド信号と直前フィールド信号との２つのフィールド信号があれば足りるのに対して、コマ単位毎に２つの移動ベクトルフィールド信号を生成するためには、結局、注目コマを構成する２つのフィールド、および、その直前のコマを構成する２つのフィールドのそれぞれに対応する４つのフィールド信号が必要になるからである。
【０１２７】
以上、本発明が適用される信号処理装置の実施の形態として、図１に示される機能的構成を有する画像処理装置１０１について説明し、それが有する課題について説明した。さらに、その課題を解決可能な信号処理装置の実施の形態として、図２に示されるような機能的構成を有する画像処理装置１０１と、図４に示されるような機能的構成を有する画像処理装置２０１について説明した。
【０１２８】
ただし、本発明が適用される信号処理装置であって、図１の画像処理装置１０１が有する課題を解決可能な信号処理装置は、上述した図２や図４の例に限定されず、その他様々な実施の形態を取ることが可能である。
【０１２９】
具体的には例えば、入力信号は、図２や図４の例では画像信号（動画像信号）とされたが、画像信号に特に限定されず、任意の信号でよい。従って、制御信号も、移動ベクトルを示す制御信号に特に限定されず、任意の信号でよい。
【０１３０】
なお、信号処理装置が処理の主対象とする信号、例えば図２や図４の例では画像信号を、制御信号と区別するために、以下、主信号と称する。
【０１３１】
また、主信号に対して施される処理の内容や数も、図２や図４の例に限定されない。即ち、任意の数の任意の内容の処理を主信号に対して施してもよい。
【０１３２】
例えば、本発明が適用される信号処理装置のうちの、任意の信号を主信号として処理可能な信号処理装置の実施の形態の一例が図６に示されている。即ち、図６は、任意の信号を主信号として処理可能な信号処理装置の実施の形態の一例として、上述した図２の画像処理装置１０１をより一般的な形態にした信号処理装置の機能的構成例を示している。ただし、図６の信号処理装置２５１と図２の画像処理装置１０１との対応関係については後述する。
【０１３３】
図６に示されるように、信号処理装置２５１には、主信号（入力信号）を入力する信号入力部２６１と、主信号（出力信号）を出力する信号出力部２６５とが設けられている。
【０１３４】
信号処理装置２５１にはまた、信号入力部２６１と出力部２６５の間に主信号伝播部２６３が設けられている。この主信号伝播部２６３は、信号入力部２６１に入力された主信号に対して、制御信号を利用するＮ個（Ｎは２以上の任意の整数値）の信号処理を順次施していくことで、主信号を信号入力部２６１から信号出力部２６５まで伝播する。この主信号伝播部２６３は、上述したＮ個の信号処理のそれぞれを実行する第１信号処理部２６３−１乃至第Ｎ信号処理部２６３−Ｎのそれぞれがその順番で接続されて形成される。
【０１３５】
信号処理装置２５１にはさらに、制御信号生成部２６２が設けられている。この制御信号生成部２６２は、主信号伝播部２６３により順次実行されるＮ個の信号処理のうちの１番目の信号処理、即ち、第１信号処理部２６３−１により実行される信号処理に対応する形態で制御信号を生成する。そして、制御信号生成部２６２は、生成された制御信号を第１信号処理部２６３−１と制御信号伝播部２６４とのそれぞれに供給する。
【０１３６】
信号処理装置２５１にはさらにまた、制御信号伝播部２６４が設けられている。この制御信号伝播部２６４は、主信号伝播部２６３によりＮ個の信号処理のうちの２番目以降の信号処理のそれぞれが順次実行される場合、即ち、第２信号処理部２６３−２乃至第Ｎ信号処理部２６３−Ｎによりそれぞれ対応する処理が順次実行される場合、制御信号生成部２６２から供給された制御信号を、主信号伝播部２６３の実行対象とされている信号処理（第２信号処理部２６３−２乃至第Ｎ信号処理部２６３−Ｎのうちのいずれかひとつの処理）に対応する形態に順次変換して、主信号伝播部２６３の第２信号処理部２６３−２乃至第Ｎ信号処理部２６３−Ｎのうちの対応する処理部に順次供給していく。即ち、制御信号伝播部２６４は、このような処理を実行することで、主信号伝播部２６３内で伝播されている主信号と並行して制御信号を伝播していると言える。
【０１３７】
このため、主信号伝播部２６３の第１信号処理部２６３−１乃至第Ｎ−１信号処理部２６３−Ｎ−１のそれぞれの処理と同様の処理を制御信号に対してそれぞれ施す第１信号処理部２６４−１乃至第Ｎ−１信号処理部２６４−Ｎ−１がその順番で接続されることで、制御信号伝播部２６４が形成されている。
【０１３８】
即ち、主信号伝播部２６３内の第ｒ信号処理部２６３−ｒ（rは、２以上Ｎ以下の整数値）の処理対象となる主信号とは、その前段までの処理が施された主信号、即ち、第１信号処理部２６３−１乃至第r-1信号処理部２６３―r-1までの処理が施された主信号である。このため、制御信号伝播部２６４は、同じく第１信号処理部２６４−１乃至第r-1信号処理部２６４−r-1までの処理が施された制御信号、即ち、第r-1信号処理部２６４−r-1の出力信号を、主信号伝播部２６３の第r信号処理部２６３−ｒに提供するのである。
【０１３９】
ただし、上述した図２のスケーリング部１１６が実行するスケーリング処理のように、制御信号が不要な処理も存在する。例えば、主信号伝播部２６３の第r信号処理部２６３−ｒが、制御信号を利用しないこのような処理を実行する場合には、第r信号処理部２６３−ｒに対する、第r-1信号処理部２６４−r-1の出力信号の提供は省略される。
【０１４０】
ところで、上述したように、以上説明した図６の信号処理装置２５１が取り得る様々な実施の形態のうちの、主信号として動画像信号を利用し、かつ、制御信号として移動ベクトルを示す信号を利用する実施の形態の一例が、図２の画像処理装置１０１であると言える。
【０１４１】
即ち、図６の信号入力部２６１、制御信号生成部２６２、および、信号出力部２６５のそれぞれが、図２の画像入力部１１１、移動ベクトル算出部１１２、および、画像出力部１１８のそれぞれに対応する。
【０１４２】
また、図２の画像処理装置１０１においては、主信号（動画像信号）に対して施す処理の数Ｎは３とされている。ただし、Ｎ＝３個の処理の中には、画像入力部１１１と画像出力部１１８との処理は含まれていない。即ち、最初の処理が、IP変換部１１４のIP変換処理である。２番目の処理が、スケーリング部１１６のスケーリング処理である。３番目（最後）の処理が、画像処理部１１７の各種画像処理である。従って、図６の第１信号処理部２６３−１、第２信号処理部２６３−２、第３（＝Ｎ）信号処理部２６３−３のそれぞれが、図２のIP変換部１１４、スケーリング部１１６、および、画像処理部１１７のそれぞれに対応する。即ち、図６の主信号伝播部２６３は、図２のIP変換部１１４、スケーリング部１１６、および、画像処理部１１７がその順番で接続されて形成される部分に対応する。
【０１４３】
また、図６の制御信号伝播部２６４は、図２のIP変換部１１３とスケーリング部１１５とがその順番で接続されて形成される部分に対応する。即ち、図６の第１信号処理部２６４−１と第２（＝N-1）信号処理部２６４−２とのそれぞれが、図２のIP変換部１１３とスケーリング部１１５とのそれぞれに対応する。
【０１４４】
以上、図２の画像処理装置１０１をより一般的にした実施の形態の一例として、図６の信号処理装置２５１について説明した。
【０１４５】
同様に、図４の画像処理装置２０１をより一般的にした実施の形態も容易に実現可能である。例えば、図７には、図４の画像処理装置２０１をより一般的にした実施の形態の一例が示されている。即ち、図７は、本発明が適用される信号処理装置のうちの、任意の信号を主信号として処理可能な信号処理装置の他の実施の形態（図６とは異なる実施の形態）の一例を示している。
【０１４６】
図７に示されるように、信号処理装置２７１には、信号入力部２８１、制御信号生成部２８２、および、信号出力部２８５が設けられている。これらの信号入力部２８１、制御信号生成部２８２、および、信号出力部２８５のそれぞれは、上述した図６の信号入力部２６１、制御信号生成部２６２、および、信号出力部２６５のそれぞれと同様の機能と構成を有している。従って、それらの説明については省略する。
【０１４７】
この図７の信号処理装置２７１にはまた、上述した図６の信号処理装置２５１とは異なり、信号入力部２８１に入力された主信号に対して、制御信号生成部２８２により生成された制御信号を重畳する制御信号重畳部２８３が設けられている。即ち、制御信号重畳部２８３の出力信号は、制御信号が重畳された主信号となる。
【０１４８】
このため、図７の信号処理装置２７１においては、主信号伝播部と制御信号伝播部とは同一の信号伝播部２８４で構成されている。この信号伝播部２８４は、図６の主信号伝播部２６３と同様に、第１信号処理部２８４−１乃至第Ｎ信号処理部２８４−Ｎのそれぞれがその順番で接続されて形成される。
【０１４９】
ところで、上述したように、以上説明した図７の信号処理装置２７１が取り得る様々な実施の形態のうちの、主信号として動画像信号を利用し、かつ、制御信号として移動ベクトルを示す信号を利用する実施の形態の一例が、図４の画像処理装置２０１であると言える。
【０１５０】
即ち、図７の信号入力部２８１、制御信号生成部２８２、制御信号重畳部２８３、および、信号出力部２８５のそれぞれが、図４の画像入力部２１１、移動ベクトル算出部２１２、移動ベクトル重畳部２１３、および、画像出力部２１７のそれぞれに対応する。
【０１５１】
また、図４の画像処理装置２０１においても、図２の画像処理装置１０１と同様に、主信号（動画像信号）に対して施す処理の数Ｎは３とされている。ただし、Ｎ＝３個の処理の中には、画像入力部２１１と画像出力部２１７との処理は含まれていない。即ち、最初の処理が、IP変換部２１４のIP変換処理である。２番目の処理が、スケーリング部２１５のスケーリング処理である。３番目（最後）の処理が、画像処理部２１６の各種画像処理である。従って、図７の第１信号処理部２８４−１、第２信号処理部２８４−２、第３（＝Ｎ）信号処理部２８４−３のそれぞれが、図４のIP変換部２１４、スケーリング部２１５、および、画像処理部２１６のそれぞれに対応する。即ち、図７の信号伝播部２８４は、図４のIP変換部２１４、スケーリング部２１５、および、画像処理部２１６がその順番で接続されて形成される部分に対応する。
【０１５２】
以上、図２の画像処理装置１０１をより一般的にした実施の形態の一例として、図６の信号処理装置２５１について説明し、その後、図４の画像処理装置２０１をより一般的にした実施の形態の一例として、図７の信号処理装置２７１について説明した。
【０１５３】
ところで、上述した一連の処理（或いはそのうちの一部分の処理）は、ハードウエアにより実行させることもできるが、ソフトウエアにより実行させることができる。
【０１５４】
この場合、図１の画像処理装置１、図２の画像処理装置１０１、図４の画像処理装置２０１、図６の信号処理装置２５１、および、図７の信号処理装置２７１（或いは、図６の制御信号伝播部２６４等の一部分）は、例えば、図８に示されるようなコンピュータで構成することができる。
【０１５５】
図８において、CPU（Central Processing Unit）３０１は、ROM（Read Only Memory）３０２に記録されているプログラム、または記憶部３０８からRAM（Random Access Memory）３０３にロードされたプログラムに従って各種の処理を実行する。RAM３０３にはまた、CPU３０１が各種の処理を実行する上において必要なデータなども適宜記憶される。
【０１５６】
CPU３０１、ROM３０２、およびRAM３０３は、バス３０４を介して相互に接続されている。このバス３０４にはまた、入出力インタフェース３０５も接続されている。
【０１５７】
入出力インタフェース３０５には、キーボード、マウスなどよりなる入力部３０６、ディスプレイなどよりなる出力部３０７、ハードディスクなどより構成される記憶部３０８、および、モデム、ターミナルアダプタなどより構成される通信部３０９が接続されている。通信部３０９は、インターネットを含むネットワークを介して他の信号処理装置との通信処理を行う。
【０１５８】
入出力インタフェース３０５にはまた、必要に応じてドライブ３１０が接続され、磁気ディスク、光ディスク、光磁気ディスク、或いは半導体メモリなどよりなるリムーバブル記録媒体３１１が適宜装着され、それらから読み出されたコンピュータプログラムが、必要に応じて記憶部３０８にインストールされる。
【０１５９】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１６０】
このようなプログラムを含む記録媒体は、図８に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）３１１により構成されるだけでなく、装置本体に予め組み込まれた状態でユーザに提供される、プログラムが記録されているROM３０２や、記憶部３０８に含まれるハードディスクなどで構成される。
【０１６１】
なお、本明細書において、記録媒体に記録されるプログラムを記述するステップは、そ順序に沿って時系列的に行われる処理はもちろん、必ずしも時系列的に処理されなくとも、並列的あるいは個別に実行される処理をも含むものである。
【０１６２】
また、上述したように、本明細書において、システムとは、複数の処理装置や処理部により構成される装置全体を表すものである。
【図面の簡単な説明】
【０１６３】
【図１】本発明が適用される信号処理装置の一例としての画像処理装置の機能的構成を示すブロック図である。
【図２】本発明が適用される信号処理装置の図１とは異なる例としての画像処理装置の機能的構成を示すブロック図である。
【図３】図２の画像処理装置が実行する画像処理を説明するフローチャートである。
【図４】本発明が適用される信号処理装置の一例としての他の画像処理装置の機能的構成を示すブロック図である。
【図５】図４の画像処理装置が実行する画像処理を説明するフローチャートである。
【図６】本発明が適用される信号処理装置の一例であって、図２の画像処理装置をより一般的な形態とした信号処理装置の機能的構成を示すブロック図である。
【図７】本発明が適用される信号処理装置の一例であって、図４の画像処理装置をより一般的な形態とした信号処理装置の機能的構成を示すブロック図である。
【図８】本発明が適用される信号処理装置のハードウエア構成の一例を示すブロック図である。
【符号の説明】
【０１６４】
１０１  画像処理装置，  １１１  画像入力部，  １１２  移動ベクトル算出部，  １１３  ＩＰ変換部，  １１４  ＩＰ変換部，  １１５  スケーリング部，  １１６  スケーリング部，  １１７  画像処理部，  １１８  画像出力部，  ２０１  画像処理装置，  ２１１  画像入力部，  ２１２  移動ベクトル算出部，  ２１３  移動ベクトル重畳部，  ２１４  ＩＰ変換部，  ２１５  スケーリング部２１５  画像処理部，  ２１７  画像出力部，  ２５１  信号処理装置，  ２６１  信号入力部，  ２６２  制御信号生成部，  ２６３  主信号伝播部，  ２６３−１乃至２６３−Ｎ  信号処理部，  ２６４  制御信号伝播部，  ２６４−１乃至２６４−Ｎ  制御信号伝播部，  ２６５  信号出力部，  ３０１  ＣＰＵ，  ３０２  ＲＯＭ，  ３０３  ＲＡＭ，  ３０８  記憶部，  ３１１  リムーバブル記録媒体
【図１】
2006042300.tif 000003
【図２】
2006042300.tif 000004
【図３】
2006042300.tif 000005
【図４】
2006042300.tif 000006
【図５】
2006042300.tif 000007
【図６】
2006042300.tif 000008
【図７】
2006042300.tif 000009
【図８】
2006042300.tif 000010